(57)【要約】【課題】比較的安価で、確実にしてかつ安全に施設内の入居者を観察し、入居者の健康状態を監視する非接触ＩＣタグを使った入居者管理システムを提供する。【解決手段】前記課題の目的を達成するために、施設内の入居者に所持され、その表面の一部または全面に、少なくとも所持する入居者の識別情報を含む属性情報、施設に係わる情報が目視可能に印刷され、少なくとも前記入居者の識別情報を電子的に記録するためのＩＣ記録部を有し、外部装置からの要求信号を受信してＩＣ記録部に記録されている入居者の識別情報を外部装置に送信するためのアンテナを内蔵した非接触ＩＣタグ及びこれを利用した施設内の入居者管理システムを提供する。【選択図】　図１
2004038433.tif 000002
【特許請求の範囲】
【請求項１】
施設内の入居者に所持され、その表面の一部または全面に、少なくとも所持する入居者の識別情報を含む属性情報、施設に係わる情報が目視可能に印刷され、少なくとも前記入居者の識別情報を電子的に記録するためのＩＣ記録部を有し、外部装置からの要求信号を受信してＩＣ記録部に記録されている入居者の識別情報を外部装置に送信するためのアンテナを内蔵したことを特徴とする非接触ＩＣタグ。
【請求項２】
請求項１に記載の非接触ＩＣタグと、施設内の複数の場所に設置され、入居者の識別情報を読み出す非接触ＩＣタグ読取り装置と、
非接触ＩＣタグ読取り装置に接続され、入居者の移動情報を収集する入居者情報収集装置と、ホストコンピュータからなる情報管理システムにおいて、
入居者情報収集装置は、少なくとも、受信手段によって受信した非接触ＩＣタグの識別情報と、送信手段によって該非接触ＩＣタグの識別情報を送信した非接触ＩＣタグ読取り装置の固有番号と、受信した時間と、を関連付けて入居者の移動情報として保管手段によって入居者データベースに保管し、
ホストコンピュータは、前記データ−ベースに保管された入居者の移動情報を入居者の管理プログラムによって管理することを特徴とする非接触ＩＣタグを利用した施設内の入居者管理システム。
【請求項３】
前記入居者の管理プログラムは、入居者の移動情報から、入居者の健康状態を把握するプログラムであることを特徴とする請求項２に記載の非接触ＩＣタグを利用した施設内の入居者管理システム。
【発明の詳細な説明】
【０００１】
【発明の属する技術分野】
本発明は、介護を必要とする老人が入居する施設や、治療やリハビリを必要とする患者が入院する入院施設などで、施設内での入居者の行動を解析することによって入居者の健康状態を把握するシステムに関する。
【０００２】
【従来の技術】
高齢社会を迎え、徘徊や痴呆等、肉体は健康でも精神を患う老人が増加している。
また、脳の病で一命は取りとめたものの、機能回復訓練のために入院生活を余儀なくされている患者や、怪我で失った機能を取り戻すために機能回復訓練を続けている患者がいる。
これらの老人や患者には、それぞれに１人づつ看護師や指導員が付けられるわけではなく、数人に１人の割合でしか付かない。また、深夜に徘徊する患者もいれば、施設を意味無く歩き回る患者もいるがこれらの深夜の行動に関して監視、看護する者はいない。
これら徘徊等の患者は、全てが突然発症するのではなく、多くは前兆があって病気に発展する。
そこで、前兆の段階でこれらの患者を発見し、治療に役立てようというのが本発明の非接触ＩＣタグを利用した施設内の入居者管理システムである。
【０００３】
【発明が解決しようとする課題】
本発明の目的は、比較的安価なシステムで、確実にしてかつ安全に施設内の患者を観察し、上述のような患者候補者を事前に発見する安全監視システムを提供することにある。
【０００４】
【課題を解決するための手段】
前記課題の目的を達成するために本発明の非接触ＩＣタグの請求項１に記載の発明の非接触ＩＣタグは、施設内の入居者に所持され、その表面の一部または全面に、少なくとも所持する入居者の識別情報を含む属性情報、施設に係わる情報が目視可能に印刷され、少なくとも前記入居者の識別情報を電子的に記録するためのＩＣ記録部を有し、外部装置からの要求信号を受信してＩＣ記録部に記録されている入居者の識別情報を外部装置に送信するためのアンテナを内蔵したことを特徴とするものである。
【０００５】
また、請求項２に記載の発明の非接触ＩＣタグを利用した施設内の入居者管理システムは、請求項１に記載の非接触ＩＣタグと、施設内の複数の場所に設置され、入居者の識別情報を読み出す非接触ＩＣタグ読取り装置と、非接触ＩＣタグ読取り装置に接続され、入居者の移動情報を収集する入居者情報収集装置と、ホストコンピュータからなる情報管理システムにおいて、入居者情報収集装置は、少なくとも、受信手段によって受信した非接触ＩＣタグの識別情報と、送信手段によって該非接触ＩＣタグの識別情報を送信した非接触ＩＣタグ読取り装置の固有番号と、受信した時間と、を関連付けて入居者の移動情報として保管手段によって入居者データベースに保管し、ホストコンピュータは、前記データ−ベースに保管された入居者の移動情報を入居者の管理プログラムによって管理することを特徴とするものである。
【０００６】
また、請求項３に記載の発明は、請求項２に記載の発明において、入居者の管理プログラムは、入居者の移動情報から、入居者の健康状態を把握するプログラムであることを特徴とするものである。
【０００７】
【発明の実施の形態】
以下図面を参照して本発明の非接触ＩＣタグ、及び、これを利用した施設内の入居者管理システムの実施の形態について説明する。
以下の実施の形態では、施設の１実施形態として老人施設の例で説明する。
図１は、本発明の非接触ＩＣタグ、及び、これを利用した施設内の入居者管理システムについて説明するためのブロック図、図２は、本発明の非接触ＩＣタグ、及び、これを利用した施設内の入居者管理システムのシステムの機器構成の一実施形態について説明するための図、図３は、入居者の管理プログラムによって表示画面に表示した入居者の健康状態の一実施形態について説明するための図、図４は、入居者の管理プログラムによって表示画面に表示した入居者の健康状態の他の一実施形態について説明するための図、図５は、入居者の管理プログラムによって表示画面に表示した入居者の健康状態の他の一実施形態について説明するための図、図６は、非接触ＩＣタグの機能について説明するための概念図、図７は、非接触ＩＣタグの表示情報の一実施形態について説明するための図、図８は、非接触ＩＣタグ発行から、入居者の移動情報収集までの手順について説明するための図、である。
【０００８】
図１において、老人施設５内は機能別の室に分けられていて、それぞれの室の入口、または出口に非接触ＩＣタグ読取り装置２が備えられている。
通常、入居者は非接触ＩＣタグ１を付けて居室５７で生活している。非接触ＩＣタグは入居者のＩＤカードとして首に紐で吊るしたり、室内着の胸に取り付けられていたりして、施設５内では必ず身に付けるように義務付けられている。
【０００９】
施設５の中は、例えばリハビリ室５１、診察室５２、喫茶室５３、文化活動室５４、図書室５５、娯楽室５６などに分れておりその日の健康状態によって使い分けられる。
リハビリ室５１には、体の機能回復を行っている入居者や、健康維持のために運動を行っている入居者が居る。健康維持のための設備には非接触ＩＣタグ読取り装置２が取り付けてあるものもあって、入居者が健康維持設備を利用すると、入居者の識別情報と健康維持設備のデータがホストコンピュータに送信されて入居者情報データベースに保管される。
【００１０】
診察室５２には、健康度を調べるために訪れる入居者と、体調不良のために訪れる入居者が居て利用頻度で入居者の健康度を計ることはできないが、体調不良または、健康相談で訪れる入居者に分類することが可能になっている。
【００１１】
喫茶室５３は、談笑したり読書したりしてお茶を飲む場所で、比較的健康な入居者が利用する。
【００１２】
文化活動室５４は、ピアノの伴奏で合唱したり、絵画を楽しんだりする場所で心の平静と充実を計る場所である。
【００１３】
図書室５５には、新聞、雑誌少数の書籍が備えてあり、読書が好きな入居者が利用する。
【００１４】
娯楽室５６には、映像設備や、碁、将棋等娯楽のためのツールが置いてあり、グループでゲームを楽しむことができるようになっている。
【００１５】
以上のように、入居者が居室から出て各室を利用すると、室それぞれに設置されている非接触ＩＣタグ読取り装置２によって利用者が所持する非接触ＩＣタグ１の識別情報が読み取られ入居者情報収集装置を介してホストコンピュータによって入居者情報データベースに保管される。
保管された、入居者情報をもとに、ホストコンピュータは、定期的に入居者別の健康度をチェックし健康管理パターンをデータと共に表示、プリントすることができる。
【００１６】
図２を参照して本発明の非接触ＩＣタグを利用した施設内の入居者管理システムの装置構成と、それぞれの装置の役割について説明する。
入居者が所持する非接触ＩＣタグ１に記録されている入居者情報を読取るための非接触ＩＣタグ読取装置２がライン上に接続されている。
非接触ＩＣタグ読取装置２には、入居者が所持する非接触ＩＣタグのアンテナに送信するためのアンテナ２１を備えており、各室の出入り口に設置されたセンサー（図示せず）に連動して、読み取り信号を送信するようになっている。
各室に取りつけられている非接触ＩＣタグ読取装置２は、入居者情報収集装置３に接続されており、非接触ＩＣタグ１の入居者情報が収集される。
入居者情報収集装置３によって収集された入居者情報と、その入居者情報を送信した非接触ＩＣタグ読取装置２の固有番号（装置番号）と、入居者情報収集装置３が前記入居者情報、非接触ＩＣタグ読取装置２の固有番号に受信時間情報を１単位情報として一時保管する。
ホストコンピュータ４は、入居者情報収集装置３から定期的に入居者情報を回収してデータベース４１に保管する。
【００１７】
図３、図４、図５に示す実施形態のように、入居者が所持する非接触ＩＣタグから収集された入居者情報を入居者の管理プログラム（入居者の健康状態を把握するプログラム）によって解析し、入居者別の健康状態解析図を作成する。
【００１８】
図３において、施設５の中の室、例えば、リハビリ室５１、診察室５２、喫茶室５３、文化活動室５４、図書室５５、娯楽室５６、居室５７を、居室５７を中心とする６角形の座標を作成し、一定期間中に入居者が移動した履歴を件数別にそれぞれの座標軸上に刻んでゆく。
座標軸上の刻まれた点を結び６角形中に形成された形状を観察してその入居者の健康度を健康状態を把握するプログラムによって判定する。
図３に示す実施形態では、この入居者は一定期間中に文化活動室５４と娯楽室５６を頻繁に利用しており、頻度は少ないが、診察室５２、喫茶室５３も利用している。
この入居者に対する健康状態を把握するプログラムの判定は、健康で活動的な日常生活を送っているという解析結果となる。
【００１９】
図４に示す実施形態では、この入居者は一定期間中にリハビリ室５１と診察室５２を利用することが多く、頻度は少ないが、喫茶室５３も利用している。
この入居者に対する健康状態を把握するプログラムの判定は、体の機能回復中で、暫くの間回復状態を観察して、体力の余裕を待って文化活動などへの変換を進めることにするという解析結果となった。
【００２０】
図３に示す実施形態では、この入居者は一定期間中に喫茶室５３と、図書室５５を多く利用しており、頻度は少ないが、診察室５２、娯楽室５６を利用している。この入居者に対する健康状態を把握するプログラムの判定は、もっと体を動かす生活を送ることが好ましいという解析結果となる。
【００２１】
図示していないが、６角形の座標軸の中央にある、居室５７から１歩も移動していない入居者が居るとすれば、非接触ＩＣタグが故障しているか、非接触ＩＣタグを所持していないか、病気であるかであり、一定期間放置されてはいけない状況にある。そのために、管理プログラムには移動情報がゼロの非接触ＩＣタグの存在をチェックするプログラムが搭載されている。
【００２２】
図６に示す概念図によって非接触ＩＣタグ１について説明する。
通常１２μｍ〜２５０μｍの厚さのポリプロピレン、ポリエステル等のプラスチックのベースフィルムの上に、アルミ箔や銅箔を貼り合わせ、その上にフォトレジストをコーティングして乾燥した後、コイル状のパターンを紫外線露光し、酸等によってエッチングし、幅、ピッチともに約０．７ｍｍの金属箔部分を残してアンテナとする。アンテナの幅、ピッチ、巻き数は読取装置の仕様によって決定する。
アンテナ１１は、巻線部分に絶縁材料で金属部をマスキングし、その上に導通材でジャンピング回路を設けコイルの先端部と終端部をＩＣチップ１２の接続端子部分に接続する。
本実施の形態のように、非接触ＩＣタグが衣服などに貼付、または、入居者の首に掛けられて所持されて読取られる場合は、アンテナの巻き数を極力多くし、非接触タグの周囲に沿って大きく形成される。
【００２３】
また、図示していないが、細い金属ワイヤーをコイル状に巻いた巻き線方式のアンテナによる非接触ＩＣタグも一般的である。
この場合は、通常ポリプロピレン、ポリエステル等のプラスチックのベースフィルムの上に、熱可塑性の接着剤等を塗布し、通常表面を絶縁処理した細い銅線を前記ベースフィルム上にコイル状に形成し、加熱圧着してフィルムに固定する。
次に絶縁材料で銅線部をマスキングして、その上に導通材でジャンピング回路を形成し（銅線を絶縁処理している場合は必ずしも必要ではない）コイルの先端部と終端部をＩＣチップの接続端子部分に接着剤を使用して接続する。コイルの接着強度が更に要求される場合はコイル面を薄いフィルムでラミネートする。
ＩＣチップ１２の回路部分にはプログラム領域とメモリ領域があり、メモリ領域としては汎用性を持たせ単価を低く抑えるため３２〜８００ｂｉｔ程度としている例が多い。メモリの選択に当っては、ＥＥＰＲＯＭ、ＥＰＲＯＭ、ＯＴＰＲＯＭ等の中から機能面で最も適切なものを選択することができる。
メモリ部分には、入居者情報として、少なくともＩＤコードが書込まれており、その他の情報としては、年齢、性別、持病コード等が記録されている。
【００２４】
図７を参照して非接触ＩＣタグ１（以下この項ＩＤカード１という。）の表示データについて説明する。
図６で説明したように、ＩＤカード１の表面はポリエステルなどのプラスチックフィルムとしている場合が多く、カードの形状をしたものが多く使用される。
例えば、ＩＤカード１の表面最上段には、施設の名称、ＩＤカード名などが印刷、または、印字されている。その下方にはＩＤカードを所持する入居者の氏名１５、生年月日１６、その他情報１７が印刷、または、印字されている。
更に、ＩＤカードの右下の部分にはＩＤカード所持者の顔画像１３が印字されている。
通常このＩＤカードは、透明な材料で作られたカードケースに収納され、カードケースに開けられた孔に紐を通して入居者の首にかけられて所持される。
【００２５】
図８を参照して、非接触ＩＣタグの発行から入居者情報の収集について説明する。
まず、非接触ＩＣタグ発行装置は、入居者データベースから非接触ＩＣタグを発行すべき入居者の情報、即ち、目視（表示）情報と、ＩＣチップ記録情報を抽出する。
在庫している非接触ＩＣタグに目視情報として、氏名、年齢、性別、顔画像を印刷する（Ｓ８０１）。
次に、ＩＣチップに入居者コード等の入居者情報を記録し（Ｓ８０２）、入居者に配布する（Ｓ８０３）。
【００２６】
図８を参照して、入居者情報収集手順について説明する。
ホストコンピュータを立ち上げる（Ｓ８０４）。次に、入居者情報収集装置を立ち上げる（Ｓ８０５）。
次いで、施設の各室に配置している非接触ＩＣタグ読取装置を立ち上げる（Ｓ８０６）。
非接触ＩＣタグ読取装置によって、入居者が所持する非接触ＩＣタグの移動情報を収集する（Ｓ８０７）。非接触ＩＣタグ読取装置によって読取られた入居者移動情報（非接触ＩＣタグの移動情報）を非接触ＩＣタグ読取装置の固有番号（装置番号）、収集時間と共に１単位情報として入居者情報データベースに保管する（Ｓ８０８）。
データベースに保管された入居者情報は、ホストコンピュータによって定期的に解析され（Ｓ８０９）、図３〜図５のような解析結果としてコンピュータ表示部に表示される。
【００２７】
【発明の効果】
１）請求項１に記載の発明によれば、施設内の入居者に所持され、その表面の一部または全面に、少なくとも所持する入居者の属性情報、施設に係わる情報が目視可能に印刷され、少なくとも入居者の識別情報を電子的に記録するためのＩＣ記録部を有し、外部装置からの要求信号を受信してＩＣ記録部に記録されている入居者の識別情報を外部装置に送信するためのアンテナを内蔵した非接触ＩＣタグを入居者情報の収集媒体とすることで、施設入居者の施設内の移動情報を入居者に意識させることなく収集することができる。
２）請求項２、３に記載の発明によれば、非接触ＩＣタグを利用した施設内の入居者管理システムは、請求項１に記載の非接触ＩＣタグと、施設内の複数の場所に設置され、入居者の識別情報を読み出す非接触ＩＣタグ読取り装置と、非接触ＩＣタグ読取り装置に接続され、入居者の移動情報を収集する入居者情報収集装置と、ホストコンピュータからなる情報管理システムにおいて、入居者情報収集装置は、少なくとも、受信手段によって受信した非接触ＩＣタグの識別情報と、送信手段によって該非接触ＩＣタグの識別情報を送信した非接触ＩＣタグ読取り装置の固有番号と、受信した時間と、を関連付けて入居者の移動情報として保管手段によって入居者データベースに保管し、ホストコンピュータは、前記データベースに保管された入居者の移動情報を入居者の管理プログラムによって管理されるため、入居者の施設内の移動情報から入居者の健康状況を解析することができる。
【図面の簡単な説明】
【図１】本発明の非接触ＩＣタグ、及び、これを利用した施設内の入居者管理システムについて説明するためのブロック図
【図２】本発明の非接触ＩＣタグ、及び、これを利用した施設内の入居者管理システムのシステム構成の一実施形態について説明するための図
【図３】入居者の管理プログラムによって表示画面に表示した入居者の健康状態の一実施形態について説明するための図
【図４】入居者の管理プログラムによって表示画面に表示した入居者の健康状態の他の一実施形態について説明するための図
【図５】入居者の管理プログラムによって表示画面に表示した入居者の健康状態の他の一実施形態について説明するための図
【図６】非接触ＩＣタグの昨日について説明するための概念図
【図７】非接触ＩＣタグの目視情報の一実施形態について説明するための図
【図８】非接触ＩＣタグ発行から、入居者の移動情報収集までの手順について説明するための図
【符号の説明】
１　　　非接触ＩＣタグ
２　　　非接触ＩＣタグ読取装置
３　　　入居者情報収集装置
４　　　ホストコンピュータ
５　　　施設
１１　　非接触ＩＣタグのアンテナ
１２　　ＩＣチップ
１３　　顔画像
１４、１５、１６、１７　施設、または、入居者の目視情報印字部
２１　　非接触ＩＣタグ読取り装置のアンテナ
４１　　入居者の情報データベース
５１　　リハビリ室
５２　　診察室
５３　　喫茶室
５４　　文化活動室
５５　　図書室
５６　　娯楽室
５７　　居室
【図１】
2004038433.tif 000003
【図２】
2004038433.tif 000004
【図３】
2004038433.tif 000005
【図４】
2004038433.tif 000006
【図５】
2004038433.tif 000007
【図６】
2004038433.tif 000008
【図７】
2004038433.tif 000009
【図８】
2004038433.tif 000010